(57)【要約】【課題】第１の筐体と、この第１の筐体に対し複数の状態で位置決めされる第２の筐体とを有する電子機器であって、状態間の遷移時におけるアプリケーションプログラムの起動状態をユーザによる簡単な入力操作に応じて決定することができる電子機器を提供する。【解決手段】本発明の一実施形態に係る携帯電話機１０は、第１の筐体と、この第１の筐体に対し複数の状態で位置決めされる第２の筐体とを有し、複数の状態間の遷移時におけるアプリケーションプログラムの起動状態を通常起動状態および終了状態のいずれか一方とするための所定の入力操作を受け付ける入力部１７や、携帯電話機の動作を制御する主制御部３４などを備える。主制御部３４は、アプリケーション起動状態制御プログラムに従って、所定の入力操作を受け付けるとともに位置決め状態が閉状態へ遷移すると、所定の入力操作に割り当てられた起動状態となるようアプリケーションプログラムの起動状態を制御するアプリケーション起動状態制御部として少なくとも機能する。【選択図】  図２
2011071888.tif 000002
【特許請求の範囲】
【請求項１】
第１の筐体と、この第１の筐体に対し複数の状態で位置決めされる第２の筐体とを有する電子機器であって、
前記第１の筐体の第１の面に設けられ、前記位置決め状態が開状態であるとアプリケーションプログラムにもとづいて生成された画像を表示する表示部と、
前記複数の状態間の遷移時における前記アプリケーションプログラムの起動状態を通常起動状態および終了状態のいずれか一方とするための所定の入力操作を受け付ける入力部と、
現在の前記位置決め状態が前記開状態および閉状態のいずれの状態であるかを判定する状態判定部と、
前記所定の入力操作を前記開状態にて受け付け、かつ、前記閉状態へ遷移すると、前記所定の入力操作に割り当てられた起動状態となるよう前記アプリケーションプログラムの起動状態を制御するアプリケーション起動状態制御部と、
を備えたことを特徴とする電子機器。
【請求項２】
前記第１の筐体の前記第１の面の背面である第２の面に設けられ、前記位置決め状態が前記閉状態であるとアプリケーションプログラムにもとづいて生成された画像を表示する他の表示部、
をさらに備え、
前記閉状態は、
前記第２の筐体の主面により前記第１の面が覆われるとともに前記第２の面が露出した状態であり、
前記アプリケーション起動状態制御部は、
前記閉状態への遷移時において、前記アプリケーションプログラムの起動状態を通常起動状態のまま維持する場合は、前記開状態において前記表示部に表示されていた画像を引き続き前記他の表示部に表示させる、
請求項１記載の電子機器。
【請求項３】
前記第１の筐体の第１の面の背面である第２の面に設けられた他の入力部、
をさらに備え、
前記閉状態に遷移した後、前記他の入力部を介した前記アプリケーションプログラムに対する操作を受け付ける、
請求項２記載の電子機器。
【請求項４】
前記アプリケーション起動状態制御部は、
前記所定の入力操作を受け付けるとともに前記位置決め状態が前記閉状態へ遷移すると、前記アプリケーションプログラムの起動状態を通常起動状態および終了状態のいずれか一方の起動状態となるよう前記アプリケーションプログラムの起動状態を制御する一方、前記入力部を介した前記所定の入力操作が受け付けられないまま前記閉状態へ遷移すると、前記アプリケーションプログラムの起動状態を通常起動状態および終了状態の他方の起動状態となるよう前記アプリケーションプログラムの起動状態を制御する、
請求項１ないし３のいずれか１項に記載の電子機器。
【請求項５】
前記所定の入力操作を受け付けた後に、無効となる条件が満たされたか否かを判定する解除判定部、
をさらに備え、
前記アプリケーション起動状態制御部は、
前記所定の入力操作を受け付けた場合であって前記無効となる条件が満たされていない場合に前記位置決め状態が前記閉状態へ遷移すると、前記所定の入力操作に割り当てられた起動状態となるよう前記アプリケーションプログラムの起動状態を制御する、
請求項１ないし４のいずれか１項に記載の電子機器。
【請求項６】
前記所定の入力操作は、
前記入力部を構成するキーが継続して押下し続けられる操作であり、
前記解除判定部は、
前記キーの押下が開放されたか否かにより無効となる条件が満たされたか否かを判定し、
前記アプリケーション起動状態制御部は、
前記キーが継続して押下し続けられている間に前記位置決め状態が前記閉状態へ遷移すると、前記キーの継続した押下操作に割り当てられた起動状態となるよう前記アプリケーションプログラムの起動状態を制御する、
請求項５記載の電子機器。
【請求項７】
前記所定の入力操作は、
前記入力部を構成するキーが短押しされる操作であり、
前記解除判定部は、
前記キーが短押しされた後に所定の時間が経過したか否かにより無効となる条件が満たされたか否かを判定し、
前記アプリケーション起動状態制御部は、
前記キーが短押しされた後前記所定の時間が経過する前に前記位置決め状態が前記閉状態へ遷移すると、前記キーの短押し操作に割り当てられた起動状態となるよう前記アプリケーションプログラムの起動状態を制御する、
請求項５記載の電子機器。
【発明の詳細な説明】
【技術分野】
【０００１】
本発明は、アプリケーションプログラムを利用可能な電子機器に関する。
【背景技術】
【０００２】
最近、アプリケーションプログラムを利用可能な電子機器には、折りたたみ型の携帯電話機やノートブック型のパーソナルコンピュータなどの、第１の筐体と、この第１の筐体に対し複数の状態で位置決めされる第２の筐体とを有するものが多くなってきている。
【０００３】
たとえば、キーボードなどの入力部を上面に有する第１の筐体と、液晶表示画面を有する第２の筐体とを備えた折りたたみ型（クラムシェル型）の携帯電話機では、第１の筐体に対して第２の筐体が開くことにより入力部および液晶表示画面が露出した第１の状態（開状態）と、第１の筐体の上面が第２の筐体の液晶表示画面を有する面で覆って閉じられた第２の状態（閉状態）と、の２種の状態で、第１の筐体に対して第２の筐体を位置決めすることができる。
【０００４】
従来、この種の開状態および閉状態の２つの状態を取り得るアプリケーションプログラムを利用可能な電子機器には、状態変化に応じてアプリケーションプログラムの動作を制御するものがある。
【０００５】
たとえば、特開２００５−４９７５９号公報（特許文献１）に開示された携帯端末装置は、第１の筐体および第２の筐体を相対移動させて筐体の状態を変化可能に構成され、状態変化を検出すると、アプリケーションプログラムがあらかじめ設定された動作を行うよう制御するようになっている。この携帯端末装置によれば、開状態から閉状態に変化した場合にアプリケーションプログラムによる表示部への表示を終了するようにあらかじめ設定されていれば、ユーザは、筐体を閉じるだけでアプリケーションプログラムによる表示部への表示を終了させることができる。
【先行技術文献】
【特許文献】
【０００６】
【特許文献１】特開２００５−４９７５９号公報
【発明の概要】
【発明が解決しようとする課題】
【０００７】
ところで、たとえば電子機器を開状態から閉状態に変化させる場合、ユーザは、アプリケーションプログラムを終了させたいときもあれば起動状態を維持したいときもあると考えられる。しかし、従来の技術では、筐体の状態変化時のアプリケーションプログラムの動作について、あらかじめ設定しておく必要がある。このため、従来の技術では、ユーザは、筐体の状態変化時のアプリケーションプログラムの動作を変化させるために煩雑な設定変更操作を強いられてしまい、大変不便である。
【０００８】
本発明は、上述した事情を考慮してなされたもので、第１の筐体と、この第１の筐体に対し複数の状態で位置決めされる第２の筐体とを有する電子機器であって、状態間の遷移時におけるアプリケーションプログラムの起動状態をユーザによる簡単な入力操作に応じて決定することができる電子機器を提供することを目的とする。
【課題を解決するための手段】
【０００９】
本発明に係る電子機器は、上述した課題を解決するために、第１の筐体と、この第１の筐体に対し複数の状態で位置決めされる第２の筐体とを有する電子機器であって、前記第１の筐体の第１の面に設けられ、前記位置決め状態が開状態であるとアプリケーションプログラムにもとづいて生成された画像を表示する表示部と、前記複数の状態間の遷移時における前記アプリケーションプログラムの起動状態を通常起動状態および終了状態のいずれか一方とするための所定の入力操作を受け付ける入力部と、現在の前記位置決め状態が前記開状態および閉状態のいずれの状態であるかを判定する状態判定部と、前記所定の入力操作を前記開状態にて受け付け、かつ、前記閉状態へ遷移すると、前記所定の入力操作に割り当てられた起動状態となるよう前記アプリケーションプログラムの起動状態を制御するアプリケーション起動状態制御部と、を備えたことを特徴とするものである。
【発明の効果】
【００１０】
本発明に係る電子機器は、第１の筐体と、この第１の筐体に対し複数の状態で位置決めされる第２の筐体とを有するものであって、状態間の遷移時におけるアプリケーションプログラムの起動状態をユーザによる簡単な入力操作に応じて決定することができる。
【図面の簡単な説明】
【００１１】
【図１】（ａ）は第１実施形態に係る携帯電話機が開いている状態（開状態）における斜視図、（ｂ）はこの携帯電話機が閉じている状態（閉状態）における斜視図。
【図２】第１実施形態に係る携帯電話機の内部構成例を概略的に示すブロック図。
【図３】第１実施形態に係る主制御部のＣＰＵによる機能実現部の構成例を示す概略的なブロック図。
【図４】第１実施形態に係る携帯電話機において開状態から閉状態への遷移時におけるアプリケーションプログラムの起動状態がユーザの簡単な入力操作に応じて決定される様子の一例を示す説明図。
【図５】第１実施形態に係る携帯電話機のＣＰＵにより、状態間の遷移時におけるアプリケーションプログラムの起動状態を入力操作に応じて決定する際の手順を示すフローチャート。
【図６】（ａ）は第２実施形態に係る携帯電話機が開いている状態（開状態）における斜視図、（ｂ）はこの携帯電話機が閉じている状態（閉状態）における斜視図。
【図７】第２実施形態に係る携帯電話機の内部構成例を概略的に示すブロック図。
【図８】第２実施形態に係る携帯電話機において開状態から閉状態への遷移時におけるアプリケーションプログラムの起動状態がユーザの簡単な入力操作に応じて決定される様子の一例を示す説明図。
【図９】（ａ）は第３実施形態に係る携帯電話機が開いている状態（開状態）における斜視図、（ｂ）はこの携帯電話機が閉じている状態（閉状態）における斜視図。
【図１０】第３実施形態に係る携帯電話機の内部構成例を概略的に示すブロック図。
【図１１】第３実施形態に係る携帯電話機において開状態から閉状態への遷移時におけるアプリケーションプログラムの起動状態がユーザの簡単な入力操作に応じて決定される様子の一例を示す説明図。
【発明を実施するための形態】
【００１２】
本発明に係る電子機器の実施の形態について、添付図面を参照して説明する。
【００１３】
図１は、本発明に係る電子機器の第１実施形態を示す概略的な外観図である。なお、本発明は、第１の筐体と、この第１の筐体に対し複数の状態で位置決めされる第２の筐体とを有し、アプリケーションプログラムを利用可能な電子機器に適用することができる。本実施形態では、本発明に係る電子機器として、折りたたみ型（クラムシェル型）の携帯電話機を用いる場合の一例について示す。
【００１４】
図１（ａ）は携帯電話機１０が開いている状態（開状態）における斜視図であり、図１（ｂ）は携帯電話機１０が閉じている状態（閉状態）における斜視図である。
【００１５】
図１に示すように、携帯電話機１０は、第１の筐体１１、第２の筐体１２、および第２の筐体１２に対し第１の筐体１１を開閉自在に連結する連結部１３を有する。第１の筐体１１は、第２の筐体１２に対して、開閉軸を中心として矢印Ｘの方向に開閉自在となるように連結部１３（ヒンジ）を介して連結される。第１の筐体１１が開閉軸を中心として矢印Ｘの方向に回転することにより、携帯電話機１０は、第１の状態としての開状態（図１（ａ）参照）と第２の状態としての閉状態（図１（ｂ）参照）とで位置決めすることができる。
【００１６】
図１（ａ）に示すように、第１の筐体１１を構成する面のうち、閉状態において第２の筐体１２と近接対向する面１４（第１の面）には、図１に示すように、表示部１５およびレシーバ１６が設けられる。一方、第２の筐体１２には、入力部１７およびマイクロフォン１８が設けられる。第１の筐体１１の第１の面１４の背面である第２の面１９は、閉状態において露出する（図１（ｂ）参照）。
【００１７】
また、第１の面１４の内側近傍の所定の位置には磁性片２１が設けられる。第２の筐体の主面の内側近傍であって閉状態において磁性片２１と対向する位置には磁気センサ２２を設けられる。
【００１８】
入力部１７は、図１に示すように、第２の筐体１２の主面に設けられた操作キー群２３のほか、第２の筐体１２の側面に設けられたサイドキー群２４を有する。なお、入力部１７の一部は、第１の筐体の第１の面１４や第１の筐体の側面に設けられてもよい。また、入力部１７の一部または全部は、タッチセンサにより構成されてもよい。
【００１９】
図２は、携帯電話機１０の内部構成例を概略的に示すブロック図である。
【００２０】
携帯電話機１０は、図１に示した表示部１５、レシーバ１６、入力部１７、マイクロフォン１８、磁性片２１、磁気センサ２２などのほか、少なくとも移動体通信用アンテナ３１、移動体通信部３２、タイマ３３および主制御部３４を有する。
【００２１】
表示部１５は、たとえば液晶ディスプレイやＯＬＥＤ（Organic Light Emitting Diode）ディスプレイなどの一般的な表示出力装置により構成され、主制御部３４の制御に従って待受け画像やアプリケーションプログラムにもとづいて生成された画像などの各種画像を表示する。たとえばアプリケーションプログラムが電子メール作成プログラムである場合、表示部１５は、主制御部３４により電子メール作成プログラムが実行されることにより生成される電子メールの作成画像を表示する。また、表示部１５は、表示部１５の背景画像（壁紙）、壁紙に重畳表示される電池残量や電波強度を概略的に示す画像などの各種アイコンや、着信時に表示される画像および映像などを表示する。
【００２２】
レシーバ１６は、受話音声をはじめとした各種の情報に対応した音声を出力する。
【００２３】
入力部１７は、たとえばキーボード、テンキー、などの一般的な入力装置により構成され、ユーザの操作に対応した操作入力信号を出力する。図１には、入力部１７が、第２の筐体１２の主面に設けられた操作キー群２３および第２の筐体１２の側面に設けられたサイドキー群２４を有する場合の例について示した。
【００２４】
また、開状態において通常起動状態にあるアプリケーションプログラムについて、入力部１７を構成するキーの所定のキーの所定の入力操作に対し、開状態から閉状態に遷移した場合に通常起動状態を維持する設定（以下、起動維持設定という）および終了状態とする設定（以下、終了設定という）のいずれか一方の設定が割り当てられる。この所定のキーは、操作キー群２３およびサイドキー群２４を構成するキーの１つまたは複数の組み合わせである。また、所定の入力操作としては、所定のキーを短押しする操作（以下、短押し操作という）や、所定のキーを継続して押下し続ける操作（以下、継続押下操作という）などを挙げることができる。
【００２５】
ユーザは、所定のキーに対して所定の入力操作を行うことにより、開状態から閉状態に遷移した場合におけるアプリケーションプログラムの起動状態を容易に選択することが可能である。
【００２６】
たとえば、携帯電話機１０が開状態から閉状態に遷移した場合には起動中のアプリケーションプログラムを終了するようあらかじめ定められている場合であって、所定のキーがサイドキー群２４を構成するキーの１つであり、所定の入力操作が所定のキーの継続押下操作であり、かつこの所定のキーの所定の入力操作に対し起動維持設定が割り当てられている場合を考える。
【００２７】
この場合、アプリケーションプログラムを終了したいときは、ユーザは携帯電話機１０を開状態から閉状態に遷移させればよい。また、アプリケーションプログラムの起動状態を維持させたいときは、設定メニュー画像を呼び出して設定を変更するなどの複雑な操作を行うことなく、ユーザは、サイドキー群２４を構成するキーの１つを継続して押下し続けたまま携帯電話機１０を開状態から閉状態に遷移させることにより、閉状態においてもアプリケーションプログラムを通常起動状態のまま維持させることができる。
【００２８】
マイクロフォン１８は、ユーザによって入力された音声をデジタル音声信号に変換する。
【００２９】
磁気センサ２２は、主制御部３４に対し、磁性片２１との距離に応じた出力を行う。このため、携帯電話機１０は、この出力を監視することにより開閉状態を検知することができる。この磁気センサ２２は、たとえばリードスイッチやホール素子などを用いて構成することができる。
【００３０】
移動体通信部３２は、主制御部３４に制御されて、移動体通信用アンテナ３１を介して移動体通信網１０１を介した音声およびデータの送受信を行う。
【００３１】
タイマ３３は、主制御部３４により制御され、所定の時間をセットされて起動される。たとえば、タイマ３３は、所定の時間をセットされて起動されて計時開始後に所定の時間が経過すると、主制御部３４に対してタイムアウト信号を出力し計時を停止する。
【００３２】
主制御部３４は、ＣＰＵ、ＲＡＭおよびＲＯＭをはじめとする記憶媒体などにより構成され、この記憶媒体に記憶されたプログラムに従って携帯電話機１０の処理動作を制御する。
【００３３】
主制御部３４のＣＰＵは、ＲＯＭをはじめとする記憶媒体に記憶されたアプリケーション起動状態制御プログラムおよびこのプログラムの実行のために必要なデータをＲＡＭへロードし、このプログラムに従って、状態間の遷移時におけるアプリケーションプログラムの起動状態を入力操作に応じて決定する処理を実行する。
【００３４】
主制御部３４のＲＡＭは、ＣＰＵが実行するプログラムおよびデータを一時的に格納するワークエリアを提供する。
【００３５】
主制御部３４のＲＯＭをはじめとする記憶媒体は、携帯電話機１０の起動プログラム、各種アプリケーションプログラム、アプリケーション起動状態制御プログラムや、これらのプログラムを実行するために必要な各種データを記憶する。
【００３６】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３７】
図３は、主制御部３４のＣＰＵによる機能実現部の構成例を示す概略的なブロック図である。なお、この機能実現部は、ＣＰＵを用いることなく回路などのハードウエアロジックによって構成してもよい。
【００３８】
図３に示すように、主制御部３４のＣＰＵは、アプリケーション起動状態制御プログラムによって、少なくともキー操作判定部４１、解除判定部４２、状態判定部４３およびアプリケーション起動状態制御部４４として機能する。この各部４１〜４４は、ＲＡＭの所要のワークエリアを、データの一時的な格納場所として利用する。
【００３９】
キー操作判定部４１は、所定のキーに対する所定の入力操作を受け付けたか否かを判定する。たとえば、所定の入力操作が所定のキーの継続押下操作である場合、キー操作判定部４１は、入力部１７から所定のキーの押下が開始された旨の信号を受けると、所定のキーによる所定の入力操作を受け付けたと判定する。また、所定の入力操作が短押し操作である場合は、操作判定部は、入力部１７から所定のキーが短押しされた旨の信号を受けると、所定のキーによる所定の入力操作を受け付けたと判定するとともに、タイマ３３に所定の時間をセットして起動する。
【００４０】
なお、キー操作判定部４１は、所定の入力操作を受け付けた場合には、その旨をユーザに通知するべく、その旨の情報を表示部１５に表示させ、あるいはその旨の警告音を発生させるなどしてもよい。たとえば、所定の入力操作が短押し操作であり、所定の入力操作に対して起動維持設定が割り当てられている場合、キー操作判定部４１は、このまま閉状態へ移行するとアプリケーションプログラムの通常起動状態が維持される旨の情報を表示部１５に表示させるとよい。
【００４１】
なお、所定のキーは、ユーザの操作に応じた信号を出力可能な装置であればよく、入力部１７を構成するキーに限られない。たとえば表示部１５がタッチパネルを構成する場合は、このタッチパネルの所定の位置に対する接触操作をもって所定のキーの所定の入力操作としてもよい。また、携帯電話機１０が３軸加速度センサなどにより構成されたモーションセンサを備える場合、たとえば携帯電話機１０を振りかざす操作に応じたセンサ出力に対して起動維持設定などの設定を割り当ててもよい。
【００４２】
解除判定部４２は、所定のキーに対する所定の入力操作を受け付けた後に、無効となる条件が満たされたか否かを判定する。たとえば、所定の入力操作が所定のキーの継続押下操作である場合、解除判定部４２は、入力部１７から所定のキーの押下が開放（終了）された旨の信号を受けると、無効となる条件が満たされたと判定する。また、所定の入力操作が短押し操作である場合は、解除判定部４２は、タイマ３３からタイムアウト信号を受信すると、無効となる条件が満たされたと判定する。
【００４３】
なお、解除判定部４２は、無効となる条件が満たされたと判定すると、その旨をユーザに通知するべく、その旨の情報を表示部１５に表示させ、あるいはその旨の警告音を発生させるなどしてもよい。たとえば、所定の入力操作が短押し操作であり、所定の入力操作に対して起動維持設定が割り当てられている場合、解除設定部は、タイマ３３からタイムアウト信号を受信すると、このまま閉状態へ移行するとアプリケーションプログラムが終了される旨の情報を表示部１５に表示させるとよい。
【００４４】
状態判定部４３は、磁気センサ２２の出力にもとづいて携帯電話機１０の位置決め状態を監視し、開状態から閉状態へ遷移したか否かを判定する。
【００４５】
図４は、本実施形態に係る携帯電話機１０において開状態から閉状態への遷移時におけるアプリケーションプログラムの起動状態がユーザの簡単な入力操作に応じて決定される様子の一例を示す説明図である。図４には、所定のキーに対する所定の入力操作がない場合の設定（基本設定）が終了設定であり、所定のキーに対する所定の入力操作に対して起動維持設定が割り当てられている場合の例について示した。
【００４６】
図４に示すように、アプリケーション起動状態制御部４４は、開状態から閉状態への遷移が検出されると、開状態で通常起動状態にあったアプリケーションプログラムについて、あらかじめ定められた設定（以下、基本設定という）や所定の入力操作に割り当てられた設定に応じて起動状態を制御する。
【００４７】
なお、所定のキーに対する所定の入力操作がない場合の設定（基本設定）について、あらかじめ起動維持設定および終了設定のいずれか一方の設定（第１の起動状態とする設定）がなされている場合、所定のキーに対する所定の入力操作に対して基本設定とは逆の設定（第２の起動状態とする設定）となるようにしてもよい。たとえば、ユーザにより基本設定としてあらかじめ起動維持設定が選択された場合、所定のキーに対する所定の入力操作には自動的に終了設定が割り当てられるようにしてもよい。
【００４８】
また、１つのキーの所定の入力操作に対して起動維持設定を割り当てるとともに他のキーの所定の入力操作に対して終了設定を割り当ててもよい。
【００４９】
以下の説明では、基本設定が終了設定であり、所定のキーに対する所定の入力操作に対して起動維持設定が割り当てられている場合の例について示す。
【００５０】
次に、本実施形態に係る携帯電話機１０の動作の一例について説明する。
【００５１】
図５は、第１実施形態に係る携帯電話機１０のＣＰＵにより、状態間の遷移時におけるアプリケーションプログラムの起動状態を入力操作に応じて決定する際の手順を示すフローチャートである。図５において、Ｓに数字を付した符号は、フローチャートの各ステップを示す。
【００５２】
この手順は、携帯電話機１０が開状態にあり、電子メールプログラムやゲームなどのアプリケーションプログラムが起動されて通常起動状態となった時点でスタートとなる。なお、基本設定は、第１の起動状態とするための設定（起動維持設定および終了設定のいずれか一方）であり、所定のキーに対する所定の入力操作に対しては第２の起動状態とするための設定（起動維持設定および終了設定のいずれか他方）が割り当てられているものとする。
【００５３】
まず、ステップＳ１において、キー操作判定部４１は、所定のキーに対する所定の入力操作を受け付けたか否かを判定する。また、所定の入力操作が短押し操作である場合、キー操作判定部４１は、タイマ３３に所定の時間をセットして起動する。
【００５４】
たとえば、所定のキーがサイドキー群２４を構成するキーの１つであり、所定の入力操作が継続押下操作である場合、キー操作判定部４１は、サイドキー群２４を構成するキーの１つの押下が開始された旨の信号を入力部１７から受けると、所定のキーに対する所定の入力操作を受け付けたと判定する。また、たとえば所定のキーが操作キー群２３を構成するキーの１つであり、所定の入力操作が短押し操作である場合、キー操作判定部４１は、操作キー群２３を構成するキーの１つが短押しされた旨の信号を入力部１７から受けると、所定のキーに対する所定の入力操作を受け付けたと判定するとともに、タイマ３３に所定の時間をセットして起動する。
【００５５】
所定のキーに対する所定の入力操作を受け付けた場合は、ステップＳ２に進む。一方、所定のキーに対する所定の入力操作がなかった場合は、ステップＳ５に進む。
【００５６】
次に、ステップＳ２において、解除判定部４２は、所定のキーに対する所定の入力操作を受け付けた後に、無効となる条件が満たされたか否かを判定する。たとえば、所定のキーがサイドキー群２４を構成するキーの１つであり、所定の入力操作が継続押下操作である場合、解除判定部４２は、入力部１７から所定のキーの押下が開放（終了）された旨の信号を受けると、無効となる条件が満たされたと判定する。また、所定のキーが操作キー群２３を構成するキーの１つであり、所定の入力操作が短押し操作である場合、解除判定部４２は、タイマ３３からタイムアウト信号を受信すると、無効となる条件が満たされたと判定する。
【００５７】
無効となる条件が満たされない場合は、ステップＳ３に進む。一方、無効となる条件が満たされた場合は、ステップＳ５に進む。
【００５８】
次に、ステップＳ３において、状態判定部４３は、磁気センサ２２の出力にもとづいて携帯電話機１０の位置決め状態を監視し、開状態から閉状態へ遷移したか否かを判定する。開状態から閉状態へ遷移した場合は、ステップＳ４に進む。一方、開状態のままである場合は、ステップＳ２に戻る。
【００５９】
次に、ステップＳ４において、アプリケーション起動状態制御部４４は、開状態から閉状態への遷移が検出されると、開状態で通常起動状態にあったアプリケーションプログラムについて、ステップＳ１で受け付けた所定の入力操作に割り当てられた設定（第２の起動状態とする設定）に応じて起動状態を制御し、一連の手順は終了となる。
【００６０】
たとえば、所定の入力操作に割り当てられた設定が起動維持設定である場合は、アプリケーション起動状態制御部４４は、閉状態への移行後もアプリケーションプログラムを通常起動状態のまま維持する。この場合、後に閉状態から開状態へと遷移すると、表示部１５には前回閉状態に遷移したときと同じ画像（アプリケーションプログラムにより生成された画像）が表示される（図４参照）。
【００６１】
他方、ステップＳ１で所定の入力操作を受け付けていないと判定された場合や、ステップＳ２で所定の入力操作を受け付けたものの無効となる条件が満たされたと判定された場合、ステップＳ５において、状態判定部４３は、磁気センサ２２の出力にもとづいて携帯電話機１０の位置決め状態を監視し、開状態から閉状態へ遷移したか否かを判定する。開状態から閉状態へ遷移した場合は、ステップＳ６に進む。一方、開状態のままである場合は、ステップＳ１に戻る。
【００６２】
次に、ステップＳ６において、アプリケーション起動状態制御部４４は、開状態から閉状態への遷移が検出されると、開状態で通常起動状態にあったアプリケーションプログラムについて、基本設定（第１の起動状態とする設定）に応じて起動状態を制御し、一連の手順は終了となる。
【００６３】
以上の手順により、状態間の遷移時におけるアプリケーションプログラムの起動状態をユーザによる簡単な入力操作に応じて決定することができる。
【００６４】
従来、第１の筐体１１と、この第１の筐体１１に対し複数の状態で位置決めされる第２の筐体１２とを有する電子機器には、基本設定を変更することにより電子機器の開閉時におけるアプリケーションプログラムの起動維持設定や終了設定を行うことができるものがあった。しかし、これらの設定を変更するためには設定メニュー画像を呼び出すなどの煩雑な操作を必要とした。
【００６５】
一方、本実施形態に係るクラムシェル型の携帯電話機１０は、所定のキーに対する簡単な所定の入力操作に応じてアプリケーションプログラムの起動状態を決定することができる。このため、本実施形態にかかる携帯電話機１０は、状態間の遷移時の起動状態に対するユーザの臨機応変な要求にも簡単な入力操作に応じて対処することができる。
【００６６】
次に、本発明に係る携帯電話機１０の第２実施形態について説明する。
【００６７】
図６（ａ）は第２実施形態に係る携帯電話機１０Ａが開いている状態（開状態）における斜視図であり、図６（ｂ）はこの携帯電話機１０Ａが閉じている状態（閉状態）における斜視図である。
【００６８】
この第２実施形態に示す携帯電話機１０Ａは、折りたたみ型（クラムシェル型）の携帯電話機１０Ａであって、第２の面１９に他の表示部５１および他の入力部５２により構成されたタッチパネル５３を備える点で第１実施形態に示す携帯電話機１０と異なる。他の構成および作用については図１に示す携帯電話機１０と実質的に異ならないため、同じ構成には同一符号を付して説明を省略する。なお、表示部１５をタッチパネル５３により構成しても構わない。
【００６９】
本実施形態に係る携帯電話機１０Ａは、通話時には閉状態で利用される。このため、図６（ｂ）に示すように、レシーバ１６およびマイクロフォン１８は第２の面１９に設けられるとよい。
【００７０】
図７は、第２実施形態に係る携帯電話機１０Ａの内部構成例を概略的に示すブロック図である。
【００７１】
タッチパネル５３は、他の表示部５１と他の入力部５２とを有する表示入力装置である。他の表示部５１は、たとえば液晶ディスプレイやＯＬＥＤ（Organic Light Emitting Diode）ディスプレイなどの一般的な表示出力装置により構成される。また、他の入力部５２は、ＬＣＤ近傍に設けられたタッチセンサにより構成される。タッチパネル５３は、ユーザによるタッチセンサ上の指示位置の情報を携帯電話機１０Ａの主制御部３４に与える。
【００７２】
たとえば、ユーザが他の表示部５１に表示された画面上のソフトキーの１つを押下する操作を意図した場合、ユーザは画面上のこのソフトキー相当部に接触しようとする。タッチセンサは、この接触動作から得た情報、たとえば赤外線遮光方式の光学式タッチパネル５３であれば赤外線を遮られた位置の情報を、ユーザの指示位置の情報として取得し、携帯電話機１０Ａの主制御部３４に与える。
【００７３】
図８は、第２実施形態に係る携帯電話機１０Ａにおいて開状態から閉状態への遷移時におけるアプリケーションプログラムの起動状態がユーザの簡単な入力操作に応じて決定される様子の一例を示す説明図である。図８には、図４に示す例と同様に、所定のキーに対する所定の入力操作がない場合の設定（基本設定）が終了設定であり、所定のキーに対する所定の入力操作に対して起動維持設定が割り当てられている場合の例について示した。
【００７４】
図８に示すように、主制御部３４のアプリケーション起動状態制御部４４は、閉状態への遷移時において、アプリケーションプログラムの起動状態を通常起動状態のまま維持する場合は、開状態において表示部１５に表示されていた画像を引き続きタッチパネル５３に表示させる。また、閉状態への遷移時において、アプリケーションプログラムの起動状態を終了状態とする場合は、タッチパネル５３には待受け画像を表示し、ユーザによる次の入力操作を待つようにするとよい。
【００７５】
本実施形態に係る携帯電話機１０Ａは、第１実施形態に係る携帯電話機１０と同様の作用効果を奏する。また、本実施形態に係る携帯電話機１０Ａは、開状態において通常起動状態にあったアプリケーションプログラムを、必要に応じて閉状態への遷移後もタッチパネル５３を介して利用することができる。
【００７６】
次に、本発明に係る携帯電話機１０の第３実施形態について説明する。
【００７７】
図９（ａ）は第３実施形態に係る携帯電話機１０Ｂが開いている状態（開状態）における斜視図であり、図９（ｂ）はこの携帯電話機１０Ｂが閉じている状態（閉状態）における斜視図である。
【００７８】
第３実施形態に示す携帯電話機１０Ｂは、スライド型の携帯電話機１０Ｂであって、第１の面１４に表示部１５および他の入力部５２により構成された他のタッチパネル５４とさらに他の入力部５５とを備える点で第２実施形態に示す携帯電話機１０Ａと異なる。他の構成および作用については図６に示す携帯電話機１０Ａと実質的に異ならないため、同じ構成には同一符号を付して説明を省略する。
【００７９】
第１の筐体１１は、第２の筐体１２に対して、矢印Ｘの方向に摺動することにより開閉自在となるように図示しない連結部１３（ヒンジ）を介して連結される。
【００８０】
図９（ｂ）に示すように、本実施形態に係る携帯電話機１０Ｂは、閉状態においても第１の面１４が露出する。この第１の面１４には、表示部１５および他の入力部５２により構成された他のタッチパネル５４のほか、さらに他の入力部５５が設けられる。また、レシーバ１６およびマイクロフォン１８は第１の面１４に設けられる。
【００８１】
図１０は、第３実施形態に係る携帯電話機１０Ｂの内部構成例を概略的に示すブロック図である。他のタッチパネル５４は、表示部１５と他の入力部５２とを有する表示入力装置である。
【００８２】
図１１は、第３実施形態に係る携帯電話機１０Ｂにおいて開状態から閉状態への遷移時におけるアプリケーションプログラムの起動状態がユーザの簡単な入力操作に応じて決定される様子の一例を示す説明図である。図１１には、図４および図８に示す例と同様に、所定のキーに対する所定の入力操作がない場合の設定（基本設定）が終了設定であり、所定のキーに対する所定の入力操作に対して起動維持設定が割り当てられている場合の例について示した。
【００８３】
図１１に示すように、主制御部３４のアプリケーション起動状態制御部４４は、閉状態への遷移時において、アプリケーションプログラムの起動状態を通常起動状態のまま維持する場合は、開状態において他のタッチパネル５４に表示されていた画像を引き続きこの他のタッチパネル５４に表示させる。
【００８４】
本実施形態に係る携帯電話機１０Ｂは、第１実施形態に係る携帯電話機１０と同様の作用効果を奏する。また、本実施形態に係る携帯電話機１０Ｂは、開状態において通常起動状態にあったアプリケーションプログラムを、必要に応じて閉状態への遷移後も他のタッチパネル５４やさらに他の入力部５５を介して利用することができる。
【００８５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００８６】
たとえば、本発明は、上記実施形態で説明した携帯電話機１０のほかにも、様々な電子機器に適用可能であり、特に、ＰＤＡ（Personal Digital Assistant）、携帯型ゲーム機、携帯型音楽再生機、携帯型動画再生機などの携帯型の電子機器に好適である。
【００８７】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００８８】
１０  携帯電話機
１１  第１の筐体
１２  第２の筐体
１３  連結部
１４  第１の面
１５  表示部
１６  レシーバ
１７  入力部
１８  マイクロフォン
１９  第２の面
２１  磁性片
２２  磁気センサ
２３  操作キー群
２４  サイドキー群
３１  移動体通信用アンテナ
３２  移動体通信部
３３  タイマ
３４  主制御部
４１  キー操作判定部
４２  解除判定部
４３  状態判定部
４４  アプリケーション起動状態制御部
５１  他の表示部
５２  他の入力部
５３  タッチパネル
５４  他のタッチパネル
５５  さらに他の入力部
１０１  移動体通信網
【図１】
2011071888.tif 000003
【図２】
2011071888.tif 000004
【図３】
2011071888.tif 000005
【図４】
2011071888.tif 000006
【図５】
2011071888.tif 000007
【図６】
2011071888.tif 000008
【図７】
2011071888.tif 000009
【図８】
2011071888.tif 000010
【図９】
2011071888.tif 000011
【図１０】
2011071888.tif 000012
【図１１】
2011071888.tif 000013